(57)【要約】【課題】  注射器本体から蓋体を容易に離脱させることができる注射器補助具を提供する。【解決手段】  各係止部２１，３１１を本体抜差位置から蓋体離脱位置に位置させるべく、本体係止部２１及び蓋体係止部３１１の少なくとも何れか一方に対して、注射器本体９１の軸線方向と交差する方向に沿って移動するように操作される操作部２４，３３と、各係止部２１，３１１が蓋体離脱位置に位置する際に、注射器本体９１が本体収容部３１から抜き出されることを防止すべく、注射器本体９１を径方向で係止する抜出防止部２３とを備えることを特徴とする。【選択図】  図１
2013180109.tif 000002
【特許請求の範囲】
【請求項１】
筒状の注射器本体を軸線方向で係止する本体係止部と、注射器本体の先端部に装着される蓋体を注射器本体の軸線方向で係止する蓋体係止部とを備え、
各係止部は、注射器本体を収容する本体収容部に注射器本体を抜き差しできる本体抜差位置から、注射器本体から蓋体を離脱させるべく注射器本体の軸線方向で離反される蓋体離脱位置に位置される注射器補助具であって、
各係止部を本体抜差位置から蓋体離脱位置に位置させるべく、本体係止部及び蓋体係止部の少なくとも何れか一方に対して、注射器本体の軸線方向と交差する方向に沿って移動するように操作される操作部と、各係止部が蓋体離脱位置に位置する際に、注射器本体が本体収容部から抜き出されることを防止すべく、注射器本体を径方向で係止する抜出防止部とを備えることを特徴とする注射器補助具。
【請求項２】
本体係止部を有する本体係止体と、蓋体係止部を有する蓋体係止体とを備え、
操作部は、本体係止体及び蓋体係止体の少なくとも何れかに設けられ、
本体係止体及び蓋体係止体のうち一方は、注射器本体の径方向で他方に対して移動することに伴って注射器本体の軸線方向でも他方に対して移動するように、注射器本体の軸線方向及び径方向と傾斜する方向に沿って他方をガイドするガイド部を備える請求項１に記載の注射器補助具。
【請求項３】
操作部は、操作される操作面を備え、
操作面は、注射器本体の軸線方向及び径方向と傾斜する方向に沿って配置される請求項２に記載の注射器補助具。
【請求項４】
本体係止部及び蓋体係止部の少なくとも何れか一方と操作部とを接続し、操作部が移動することに伴って、一方を注射器本体の軸線方向で他方に対して移動させる接続機構を備える請求項１に記載の注射器補助具。
【請求項５】
操作部は、本体収容部に接離するように操作され、
抜出防止部は、各係止部が本体抜差位置から蓋体離脱位置に位置されることにより、本体収容部の外方から内方に位置するように、操作部に固定される請求項４に記載の注射器補助具。
【発明の詳細な説明】
【技術分野】
【０００１】
本発明は、注射器本体から蓋体を離脱させる注射器補助具に関する。
【背景技術】
【０００２】
従来、注射器本体から蓋体を離脱させる注射器補助具として、注射器本体を収容する本体収容部に収容される注射器本体を軸線方向で係止する本体係止部と、注射器本体の先端部に装着される蓋体を注射器本体の軸線方向で係止する蓋体係止部とを備える注射器補助具が知られている。斯かる注射器補助具においては、各係止部が注射器本体の軸線方向で離反されることで、蓋体が注射器本体から離脱される（例えば、特許文献１）。
【先行技術文献】
【特許文献】
【０００３】
【特許文献１】実用新案登録第３１４３３０２号公報
【発明の概要】
【発明が解決しようとする課題】
【０００４】
ところで、特許文献１に係る注射器補助具においては、注射器本体を本体収容部に収容することで、本体係止部が注射器本体を係止できる一方、蓋体係止部を有するカバーを注射器本体に覆うことで、はじめて蓋体係止部が蓋体を係止できるものである。したがって、カバーを注射器本体に覆わせた後に、さらに、蓋体係止部（カバー）を本体係止部から離反させることで、蓋体が注射器本体から離脱されるため、斯かる作業が非常に煩雑である。
【０００５】
よって、本発明は、斯かる事情に鑑み、注射器本体から蓋体を容易に離脱させることができる注射器補助具を提供することを課題とする。
【課題を解決するための手段】
【０００６】
本発明に係る注射器補助具は、筒状の注射器本体を軸線方向で係止する本体係止部と、注射器本体の先端部に装着される蓋体を注射器本体の軸線方向で係止する蓋体係止部とを備え、各係止部は、注射器本体を収容する本体収容部に注射器本体を抜き差しできる本体抜差位置から、注射器本体から蓋体を離脱させるべく注射器本体の軸線方向で離反される蓋体離脱位置に位置される注射器補助具であって、各係止部を本体抜差位置から蓋体離脱位置に位置させるべく、本体係止部及び蓋体係止部の少なくとも何れか一方に対して、注射器本体の軸線方向と交差する方向に沿って移動するように操作される操作部と、各係止部が蓋体離脱位置に位置する際に、注射器本体が本体収容部から抜き出されることを防止すべく、注射器本体を径方向で係止する抜出防止部とを備えることを特徴とする。
【０００７】
本発明に係る注射器補助具によれば、各係止部が、本体収容部に注射器本体を抜き差しできる本体抜差位置に位置している際に、操作部が、本体係止部及び蓋体係止部の少なくとも何れか一方に対して、注射器本体の軸線方向と交差する方向に沿って移動するように操作される。すると、各係止部が、注射器本体の軸線方向で離反される蓋体離脱位置に位置するため、注射器本体から蓋体を離脱することができる。
【０００８】
さらに、各係止部が蓋体離脱位置に位置する際には、抜出防止部が注射器本体を径方向で係止しているため、注射器本体が本体収容部から抜き出されることを防止できる。これにより、操作部が操作されると、各係止部が本体抜差位置から蓋体離脱位置に位置することにより、注射器補助具が注射器に取り付けられた状態となるため、そのまま注射を行うことができる。
【０００９】
また、本発明に係る注射器補助具においては、本体係止部を有する本体係止体と、蓋体係止部を有する蓋体係止体とを備え、操作部は、本体係止体及び蓋体係止体の少なくとも何れかに設けられ、本体係止体及び蓋体係止体のうち一方は、注射器本体の径方向で他方に対して移動することに伴って注射器本体の軸線方向でも他方に対して移動するように、注射器本体の軸線方向及び径方向と傾斜する方向に沿って他方をガイドするガイド部を備えてもよい。
【００１０】
斯かる構成の注射器補助具によれば、本体係止部は、本体係止体に設けられると共に、蓋体係止部は、蓋体係止体に設けられている。そして、操作部は、本体係止体及び蓋体係止体の少なくとも何れかに設けられていると共に、本体係止体（又は蓋体係止体）は、注射器本体の軸線方向及び径方向と傾斜する方向に沿って、蓋体係止体（又は本体係止体）をガイドするガイド部を備えている。
【００１１】
これにより、操作部が操作されて移動する際に、本体係止体（又は蓋体係止体）がガイド部で蓋体係止体（又は本体係止体）をガイドする。したがって、蓋体係止体（又は本体係止体）は、注射器本体の径方向で本体係止体（又は蓋体係止体）に対して移動することに伴って、注射器本体の軸線方向でも本体係止体（又は蓋体係止体）に対して移動する。
【００１２】
また、本発明に係る注射器補助具においては、操作部は、操作される操作面を備え、操作面は、注射器本体の軸線方向及び径方向と傾斜する方向に沿って配置されてもよい。
【００１３】
斯かる構成の注射器補助具によれば、操作部には、操作される操作面が設けられている。そして、操作面が、注射器本体の軸線方向及び径方向と傾斜する方向に沿って配置されているため、操作面に作用された力がガイド部でガイドされる方向に作用する。これにより、本体係止体（又は蓋体係止体）は、蓋体係止体（又は本体係止体）をガイド部で円滑にガイドできる。
【００１４】
また、本発明に係る注射器補助具においては、本体係止部及び蓋体係止部の少なくとも何れか一方と操作部とを接続し、操作部が移動することに伴って、一方を注射器本体の軸線方向で他方に対して移動させる接続機構を備えてもよい。
【００１５】
斯かる構成の注射器補助具によれば、接続機構は、本体係止部及び蓋体係止部の少なくとも何れか一方と、操作部とを接続している。そして、操作部が移動することに伴って、接続機構は、本体係止部（又は蓋体係止部）を、注射器本体の軸線方向で蓋体係止部（又は本体係止部）に対して移動させる。
【００１６】
また、本発明に係る注射器補助具においては、操作部は、本体収容部に接離するように操作され、抜出防止部は、各係止部が本体抜差位置から蓋体離脱位置に位置されることにより、本体収容部の外方から内方に位置するように、操作部に固定されてもよい。
【００１７】
斯かる構成の注射器補助具によれば、操作部が本体収容部に接離するように操作されると共に、抜出防止部が操作部に固定されている。そして、操作部が移動することに伴って、各係止部が本体抜差位置から蓋体離脱位置に位置されると、抜出防止部が本体収容部の外方から内方に位置する。
【００１８】
これにより、各係止部が本体抜差位置に位置している際には、抜出防止部が本体収容部の外方に位置しているため、本体収容部に注射器本体を容易に抜き差しできる一方、各係止部が蓋体離脱位置に位置している際には、抜出防止部が本体収容部の内方に位置しているため、本体収容部に収容されている注射器本体を径方向で確実に係止できる。
【発明の効果】
【００１９】
以上の如く、本発明に係る注射器補助具によれば、注射器本体から蓋体を容易に離脱させることができるという優れた効果を奏する。
【図面の簡単な説明】
【００２０】
【図１】本発明の一実施形態に係る注射器補助具の全体正面図を示す。
【図２】同実施形態に係る注射器補助具の全体背面図を示す。
【図３】同実施形態に係る蓋体係止体の全体斜視図を示す。
【図４】同実施形態に係る蓋体係止体の全体斜視図を示す。
【図５】同実施形態に係る蓋体係止体の全体縦断面図を示す。
【図６】同実施形態に係る蓋体係止体の全体背面図を示す。
【図７】同実施形態に係る本体係止体の全体斜視図を示す。
【図８】同実施形態に係る本体係止体の全体正面図を示す。
【図９】同実施形態に係る本体係止体の全体背面図を示す。
【図１０】同実施形態に係る本体係止体の全体側面図を示す。
【図１１】同実施形態に係る注射器補助具の動作説明図であって、各係止部が本体抜差位置に位置する状態の全体斜視図を示す。
【図１２】同実施形態に係る注射器補助具の動作説明図であって、各係止部が本体抜差位置に位置する状態の全体背面図を示す。
【図１３】同実施形態に係る注射器補助具の動作説明図であって、各係止部が本体抜差位置及び蓋体離脱位置間に位置する状態の全体斜視図を示す。
【図１４】同実施形態に係る注射器補助具の動作説明図であって、各係止部が本体抜差位置及び蓋体離脱位置間に位置する状態の全体背面図を示す。
【図１５】同実施形態に係る注射器補助具の動作説明図であって、各係止部が蓋体離脱位置に位置する状態の全体斜視図を示す。
【図１６】同実施形態に係る注射器補助具の動作説明図であって、各係止部が蓋体離脱位置に位置する状態の全体背面図を示す。
【図１７】本発明の他の実施形態に係る注射器補助具の全体斜視図を示す。
【図１８】同実施形態に係る注射器補助具の全体平面図を示す。
【図１９】同実施形態に係る注射器補助具の一部分解全体斜視図を示す。
【図２０】同実施形態に係る注射器補助具の内視平面図を示す。
【図２１】同実施形態に係る注射器補助具の全体分解斜視図を示す。
【図２２】同実施形態に係る注射器補助具の動作説明図であって、各係止部が本体抜差位置に位置する状態の内視平面図を示す。
【図２３】同実施形態に係る注射器補助具の動作説明図であって、各係止部が本体抜差位置に位置する状態の要部平面図を示す。
【図２４】同実施形態に係る注射器補助具の動作説明図であって、各係止部が蓋体離脱位置に位置する状態の内視平面図を示す。
【図２５】同実施形態に係る注射器補助具の動作説明図であって、各係止部が蓋体離脱位置に位置する状態の要部平面図を示す。
【発明を実施するための形態】
【００２１】
以下、本発明に係る注射器補助具における第１の実施形態について、図１〜図１６を参酌して説明する。まず、本実施形態に係る注射器補助具の各構成を説明するのに先立って、注射器補助具に使用される注射器について説明する。
【００２２】
図１及び図２に示すように、注射器９は、内部に薬液が充填される筒状の注射器本体９１と、注射器本体９１の先端部に装着される蓋体９２と、注射器本体９１に先端側が挿入され、薬液を投与する際に、注射器本体９１に対して軸線方向でスライドされるプランジャ９３とを備える。なお、本実施形態において、注射器９は、例えば糖尿病やリュウマチの治療薬が充填されているプレフィルドシリンジであって、患者自らが注射を行うための注射器としている。
【００２３】
注射器本体９１は、筒状に形成されるバレル９１１と、バレル９１１の先端部に固定される注射針９１２と、バレル９１１の基端部に装着されるフィンガーグリップ９１３とを備える。そして、バレル９１１は、ガラスや硬質樹脂等で形成され、注射針９１２は、金属等で形成され、フィンガーグリップ９１３は、硬質樹脂等で形成されている。
【００２４】
バレル９１１は、筒状の胴部９１１ａと、先端部に配置され、胴部９１１ａよりも外径及び内径の小さいノズル部９１１ｂと、基端部に配置され、胴部９１１ａから径方向外方に突出するフランジ部９１１ｃとを備える。そして、フィンガーグリップ９１３は、平板状に形成されていると共に、指を掛けるための面がバレル９１１の径方向に沿うようにして、バレル９１１のフランジ部９１１ｃに装着されている。
【００２５】
蓋体９２は、筒状に形成されると共に、先端側が閉塞され且つ基端側が開放されて構成されている。そして、蓋体９２は、少なくとも内周部が弾性を有して形成されており、バレル９１１のノズル部９１１ｂに着脱自在に装着されている。また、注射器本体９１の軸線方向において、注射器本体９１（バレル９１１）と蓋体９２との間には、隙間が形成されている。なお、本実施形態において、蓋体９２は、二重構造としており、内周部がゴム等の弾性材で形成され、外周部が内周部よりも硬質な材料（硬質樹脂等）で形成される。
【００２６】
図１〜図１０に示すように、本実施形態に係る注射器補助具１は、蓋体９２を注射器本体９１の軸線方向で係止する蓋体係止体２と、注射器本体９１を収容し、収容する注射器本体９１を軸線方向で係止する本体係止体３とを備える。なお、本実施形態に係る注射器補助具１は、蓋体係止体２と本体係止体３との二つの部材で構成されている。
【００２７】
蓋体係止体２は、図１〜図６に示すように、蓋体９２を注射器本体９１の軸線方向で係止する蓋体係止部２１を備える。また、蓋体係止体２は、本体係止体３をガイドするガイド部２２を備え、ガイド部２２により、本体係止体３に注射器本体９１を抜き差しできる位置（以下、「本体抜差位置」という）と注射器本体９１から蓋体９２を離脱させる位置（以下、「蓋体離脱位置」という）とに、各係止体２，３を位置させる。
【００２８】
そして、蓋体係止体２は、各係止体２，３が蓋体離脱位置に位置する際に、注射器本体９１が本体係止体３から抜き出されることを防止する抜出防止部２３と、各係止体２，３が相対変位する際に、操作される第１の操作部２４とを備える。さらに、蓋体係止体２は、本体係止体３と係合し、本体係止体３を本体抜差位置で保持させる半筒状の第１の係合部２５を備える。
【００２９】
また、蓋体係止体２は、本体係止体３と一体となるように組み立てられる際に、弾性変形される一対の弾性片２６，２６を備える。そして、箱状に形成されている蓋体係止体２には、本体係止体３や注射器９の通過する部位に開放部２７が形成されている。なお、蓋体係止体２は、硬質樹脂や金属等で形成されている。
【００３０】
蓋体係止部２１は、平面状に形成されていると共に、本体係止体３に収容される注射器本体９１の径方向に沿って配置されている。そして、蓋体係止部２１は、本体係止体３が蓋体係止体２に対して移動する際に、蓋体９２の基端部を注射器本体９１の軸線方向で係止する。具体的には、本体係止体３が蓋体係止体２に対して移動する際に、蓋体係止部２１が蓋体９２の基端部と摺接する。
【００３１】
ガイド部２２は、本体係止体３を嵌合してガイドする一対のガイド溝２２１，２２１と、平面に沿って本体係止体３をガイドすべく、本体係止体３と面接触で摺接するガイド面２２２とを備える。また、ガイド部２２は、本体係止体３と係合することで、本体係止体３を本体抜差位置で保持させる凸状の第２の係合部２２３を、各ガイド溝２２１の一端側に備えると共に、本体係止体３と係合することで、本体係止体３を蓋体離脱位置で保持させる凸状の第３の係合部２２４を、各ガイド溝２２１の他端側に備える。
【００３２】
各ガイド溝２２１は、注射器本体９１の径方向に沿って本体係止体３をガイドする直線状の第１領域２２１ａと、注射器本体９１の軸線方向及び径方向と傾斜する方向に沿って本体係止体３をガイドする直線状の第２領域２２１ｂとを備える。そして、各ガイド溝２２１は、第１領域２２１ａの他端部と第２領域２２１ｂの一端部とを連結して構成されている。
【００３３】
また、各ガイド溝２２１において、第１領域２２１ａと第２領域２２１ｂとは、傾斜して交差するように配置されている。即ち、各ガイド溝２２１は、直線状の各領域２２１ａ，２２１ｂが屈曲するようにして連結されている。さらに、一対のガイド溝２２１，２２１は、注射器本体９１の軸線方向で離間して配置されていると共に、互いに平行となるように配置されている。
【００３４】
そして、各第１領域２２１ａが、一端部から他端部に向けて本体係止体３をガイドすることにより、注射器本体９１及び蓋体９２間の隙間に、蓋体係止部２１が挿入される。また、各第２領域２２１ｂが、一端部から他端部に向けて本体係止体３をガイドすることにより、本体係止体３が、注射器本体９１の径方向で蓋体係止体２に対して移動することに伴って、注射器本体９１の軸線方向でも蓋体係止体２に対して移動する。
【００３５】
抜出防止部２３は、各係止体２，３が蓋体離脱位置に位置する際に、注射器本体９１を覆うように配置されている。そして、抜出防止部２３は、各係止体２，３が蓋体離脱位置に位置する際に、注射器本体９１を径方向で係止することで、収容されている注射器本体９１が本体係止体３から抜き出されることを防止している。
【００３６】
第１の操作部２４は、本体係止体３に収容されている注射器本体９１の軸線方向に沿って配置される第１の操作面２４１を備える。そして、第１の操作部２４は、全体的に手で把持されたり、第１の操作面２４１を掌で押されたり、第１の操作面２４１を指の腹で押されたりして、患者に操作される。
【００３７】
本体係止体３は、図１〜図２及び図７〜図１０に示すように、注射器本体９１を収容する本体収容部３１と、蓋体係止体２のガイド部２２にガイドされる被ガイド部３２と、各係止体２，３が相対変位する際に、操作される第２の操作部３３と、蓋体係止体２の第１の係合部２５と係合する突条の係合部３４とを備える。そして、本体係止体３は、箱状の蓋体係止体２の内部に出し入れされる。なお、本体係止体３は、硬質樹脂や金属等で形成されている。
【００３８】
本体収容部３１は、収容される注射器本体９１を軸線方向で係止する本体係止部３１１と、抜き差しされる注射器本体９１をガイドするように凹状に形成され、収容された注射器本体９１を径方向で係止して保持する本体保持部３１２とを備える。
【００３９】
本体係止部３１１は、フィンガーグリップ９１３における注射器本体９１の軸線方向の先端側の面を係止している。また、本体係止部３１１は、フィンガーグリップ９１３における注射器本体９１の軸線方向の基端側の面も係止している。
【００４０】
被ガイド部３２は、ガイド部２２の各ガイド溝２２１にガイドされる一対の被ガイド突部３２１，３２１を備える。また、被ガイド部３２は、ガイド部２２のガイド面２２２と面接触で摺接される被ガイド面３２２を備える。
【００４１】
各被ガイド突部３２１は、各ガイド溝２２１の第１領域２２１ａと摺接する一対の第１領域３２１ａ，３２１ａと、各ガイド溝２２１の第２領域２２１ｂと摺接する一対の第２領域３２１ｂ，３２１ｂとを備える。また、各被ガイド突部３２１は、被ガイド面３２２から突出して設けられている。そして、一対の被ガイド突部３２１，３２１は、注射器本体９１の軸線方向で離間して配置されている。
【００４２】
さらに、各被ガイド突部３２１は、各ガイド溝２２１の内部に配置されていると共に、各ガイド溝２２１から抜け止めされており、外周縁で各ガイド溝２２１の内周縁と摺接している。また、各被ガイド突部３２１において、第１領域３２１ａは、注射器本体９１の径方向に沿って直線状に形成されると共に、第２領域３２１ｂは、注射器本体９１の軸線方向及び径方向と傾斜する方向に沿って直線状に形成されている。
【００４３】
第２の操作部３３は、本体係止体３に収容されている注射器本体９１の軸線方向及び径方向と傾斜する方向に沿って配置される第２の操作面３３１と、注射器本体９１の軸線方向の先端側に配置される突出部３３２とを備える。また、第２の操作部３３は、平板状に形成されている。そして、第２の操作部３３は、第２の操作面３３１を掌で押されたり、第２の操作面３３１を指の腹で押されたり、突出部３３２を指で把持されたりして、患者に操作される。
【００４４】
ここで、各ガイド溝２２１の第２領域２２１ｂは、注射器本体９１の径方向の一方側から他方側に行くに従って、注射器本体９１の軸線方向の先端側（一方側）から基端側（他方側）に向けて傾斜している。また、第２の操作部３３は、注射器本体９１の軸線方向の基端側（他方側）から先端側（一方側）に行くに従って、注射器本体９１の径方向の一方側から他方側に向けて傾斜している。
【００４５】
本実施形態に係る注射器補助具１の構成については以上の通りであり、次に、本実施形態に係る注射器補助具１の動作について、図１１〜図１６を参酌して説明する。
【００４６】
まず、蓋体係止体２と本体係止体３とは、それぞれ個別に形成される。そして、本体係止体３の各被ガイド突部３２１を、蓋体係止体２の各弾性片２６に押し当てると、各弾性片２６が弾性変形するため、各被ガイド突部３２１が各ガイド溝２２１の内部に配置される。これにより、蓋体係止体２と本体係止体３とが一体となるように組み立てられる。
【００４７】
そして、図１１及び図１２に示すように、各被ガイド突部３２１が各ガイド溝２２１の一端部に配置されており、抜出防止部２３が本体収容部３１を覆っていないため、各係止体２，３は、本体収容部３１に注射器本体９１を抜き差しできる本体抜差位置に位置している。このとき、蓋体係止体２の第１係合部２５と本体係止体３の係合部３４とが係合すると共に、ガイド部２２の第２係合部２２３と被ガイド突部３２１とが係合しているため、各係止体２，３が本体抜差位置で保持されている。
【００４８】
蓋体９２が装着されている注射器本体９１を本体収容部３１に差して収容した後に、例えば、第１操作部２４を全体的に手で把持した状態で、第２操作部３３の第２操作面３３１を掌で押すと、各ガイド溝２２１の第１領域２２１ａが各被ガイド突部３２１の第１領域３２１ａをガイドするため、図１３及び図１４に示すように、第２操作部３３を有する本体係止体３は、蓋体係止体２に対して、注射器本体９１の径方向に移動する。このとき、注射器本体９１及び蓋体９２間の隙間に、蓋体係止部２１が挿入される。
【００４９】
さらに、第２操作部３３の第２操作面３３１を掌で押すと、各ガイド溝２２１の第２領域２２１ｂは、注射器本体９１の軸線方向及び径方向と傾斜する方向に沿って、各被ガイド突部３２１の第２領域３２１ｂをガイドする。このとき、第２操作面３３１が注射器本体９１の軸線方向及び径方向と傾斜する方向に沿って配置されているため、第２操作面３３１を押す力は、ガイド溝２２１の第２領域２２１ｂでガイドされる方向に作用する。
【００５０】
そして、第２操作部３３を有する本体係止体３は、蓋体係止体２に対して、注射器本体９１の径方向に移動することに伴って、注射器本体９１の軸方向にも移動する。これにより、各係止部２１，３３１が注射器本体９１の軸線方向で離反されるため、図１５及び図１６に示すように、蓋体９２が注射器本体９１から離脱される。そして、各被ガイド突部３２１が各ガイド溝２２１の他端部に配置されており、各係止体２，３は、注射器本体９１から蓋体９２を離脱することができる蓋体離脱位置に位置している。
【００５１】
このとき、ガイド部２２の第３係合部２２４と被ガイド突部３２１とが係合しているため、各係止体２，３が蓋体離脱位置で保持されていると共に、抜出防止部２３が注射器本体９１（具体的には、注射針９１２）を径方向で係止しているため、注射器本体９１が本体収容部３１から抜き出されることを防止している。そして、注射器補助具１が注射器９に取り付けられた状態で、そのまま注射を行うことができる。
【００５２】
以上より、本実施形態に係る注射器補助具１によれば、各係止部２１，３１１が、本体収容部３１に注射器本体９１を抜き差しできる本体抜差位置に位置している際に、第２操作部３３が、蓋体係止部２１に対して、注射器本体９１の軸線方向と交差する方向に沿って移動するように操作される。
【００５３】
すると、各係止部２１，３１１が、注射器本体９１の軸線方向で離反される蓋体離脱位置に位置するため、注射器本体９１から蓋体９２を容易に離脱させることができる。したがって、注射器本体９１を本体収容部３１に収容した後に、蓋体係止体２と本体係止体３とを相対的に変位させるという一つの動作を行うことで、注射器本体９１から蓋体９２を容易に離脱させることができる。
【００５４】
また、本実施形態に係る注射器補助具１によれば、各係止部２１，３１１が蓋体離脱位置に位置する際には、抜出防止部２３が注射器本体９１を径方向で係止しているため、注射器本体９１が本体収容部３１から抜き出されることを防止できる。これにより、第２操作部３３が操作されると、各係止部２１，３１１が本体抜差位置から蓋体離脱位置に位置することにより、注射器補助具１が注射器９に取り付けられた状態となるため、そのまま注射を行うことができる。
【００５５】
また、本実施形態に係る注射器補助具１によれば、本体係止部３１１は、本体係止体３に設けられると共に、蓋体係止部２１は、蓋体係止体２に設けられている。そして、第２操作部３３は、本体係止体３に設けられていると共に、蓋体係止体２は、注射器本体９１の軸線方向及び径方向と傾斜する方向に沿って、本体係止体３をガイドするガイド部２２を備えている。
【００５６】
これにより、第２操作部３３が操作されて移動する際に、蓋体係止体２がガイド部２２で本体係止体３をガイドする。したがって、本体係止体３は、注射器本体９１の径方向で蓋体係止体２に対して移動することに伴って、注射器本体９１の軸線方向でも蓋体係止体２に対して移動する。
【００５７】
また、本実施形態に係る注射器補助具１によれば、第２操作部３３には、操作される第２操作面３３１が設けられている。そして、第２操作面３３１が、注射器本体９１の軸線方向及び径方向と傾斜する方向に沿って配置されているため、第２操作面３３１に作用された力がガイド部２２でガイドされる方向に作用する。これにより、蓋体係止体２は、本体係止体３をガイド部２２で円滑にガイドできる。
【００５８】
また、本実施形態に係る注射器補助具１によれば、第２操作部３３には、端部に突出部３３２が設けられている。そして、例えば、突出部３３２が把持されて操作されると、突出部３３２を介して第２操作部３３に作用した力は、ガイド部２２でガイドされる方向に作用する。これにより、蓋体係止体２は、本体係止体３をガイド部２２で円滑にガイドすることもできる。
【００５９】
次に、本発明に係る注射器補助具における第２の実施形態について、図１７〜図２５を参酌して説明する。なお、図１７〜図１８、図２２及び図２４において、図１〜図２及び図１１〜図１６の符号と同一の符号を付した部分は、第１実施形態と同一の構成又は要素を表す。
【００６０】
図１７〜図２１に示すように、本実施形態に係る注射器補助具５は、注射器本体９１を収容する本体収容部５１と、注射器本体９１から蓋体９２を離脱させるために操作される一対の操作部５２，５２と、本体収容部５１と各操作部５２とを接続する接続機構５３とを備える。また、注射器補助具５は、注射器本体９１が本体収容部５１から抜き出されることを防止する抜出防止部５４を備える。
【００６１】
本体収容部５１は、収容される注射器本体９１を軸線方向で係止する本体係止部５１１を備える。また、本体収容部５１は、蓋体９２を注射器本体９１の軸線方向で係止する蓋体係止部５１２を備える。
【００６２】
本体係止部５１１は、フィンガーグリップ９１３における注射器本体９１の軸線方向の先端側の面を係止している。また、本体係止部５１１は、フィンガーグリップ９１３における注射器本体９１の軸線方向の基端側の面も係止している。
【００６３】
蓋体係止部５１２は、抜き差しされる注射器本体９１をガイドするように凹状に形成され且つ収容された注射器本体９１を径方向で係止して保持する半筒状の係止部本体５１２ａと、係止部本体５１２ａから径方向内方に突出し、蓋体９２を係止する一対の係止片５１２ｂ，５１２ｂとを備える。そして、各係止片５１２ｂは、注射器本体９１及び蓋体９２間の隙間に配置されることで、蓋体９２の基端部を注射器本体９１の軸線方向で係止する。
【００６４】
また、蓋体係止部５１２は、抜出防止部５４が係止部本体５１２ａを通過するための複数の孔部５１２ｃ，…を備える。さらに、蓋体係止部５１２は、係止部本体５１２ａから突出し且つ接続機構５３にガイドされる一対の被ガイド部５１２ｄ，５１２ｄを備える。
【００６５】
そして、蓋体係止部５１２は、本体係止部５１１に対して、注射器本体９１の軸線方向で移動する（接離する）。これにより、各係止部５１１，５１２は、本体収容部５１に注射器本体９１を抜き差しできる本体抜差位置と、注射器本体９１から蓋体９２を離脱させるべく注射器本体９１の軸線方向で離反される蓋体離脱位置とに、それぞれ位置される。
【００６６】
各操作部５２は、本体係止部５１１及び蓋体係止部５１２に対して、注射器本体９１の軸線方向と交差する方向（具体的には、軸線方向と直交する方向）に沿って移動するように、操作される。また、一対の操作部５２，５２は、本体収容部５１の蓋体係止部５１２を挟むようにして配置され、互いに接離するように、即ち、蓋体係止部５１２に接離するように、操作される。
【００６７】
接続機構５３は、蓋体係止部５１２の被ガイド部５１２ｄをガイドするガイド部５３１を備える。また、接続機構５３は、蓋体係止部５１２を本体抜差位置で保持する抜差位置保持部５３２と、蓋体係止部５１２を蓋体離脱位置で保持する離脱位置保持部５３３とを備える。
【００６８】
ガイド部５３１は、各操作部５２に固定されるガイド溝５３１ａ，５３１ｂを備える。そして、ガイド部５３１は、各ガイド溝５３１ａ，５３１ｂに蓋体係止部５１２の被ガイド部５１２ｄを挿通させており、一対のガイド溝５３１ａ，５３１ｂが連通している位置に、被ガイド部５１２ｄを位置させている。
【００６９】
即ち、ガイド部５３１は、蓋体係止部５１２と各操作部５２とを接続し、各操作部５２が移動することに伴って、蓋体係止部５１２を注射器本体９１の軸線方向で本体係止部５１１に対して移動させている。したがって、接続機構５３は、ガイド部５３１により、各係止部５１１，５１２を本体抜差位置と蓋体離脱位置とに位置させることができる。
【００７０】
各ガイド溝５３１ａ，５３１ｂは、注射器本体９１の軸線方向及び径方向と傾斜する方向に沿って直線状に形成されている。そして、第１の操作部５２に固定される第１ガイド溝５３１ａと、第２の操作部５２に固定される第２ガイド溝５３１ｂとは、注射器本体９１の軸線方向で対称となるように配置されている。
【００７１】
抜差位置保持部５３２は、一対の操作部５２，５２を離反するように付勢する付勢体である。そして、抜差位置保持部５３２は、一対の操作部５２，５２間に配置され、各操作部５２に接続されている。なお、各操作部５２は、各係止部５１１，５１２が本体抜差位置に位置する際に、補助具本体５５から突出している。
【００７２】
離脱位置保持部５３３は、第１の操作部５２に固定される第１の係合部５３３ａと、補助具本体５５に回転自在に固定され、第１の係合部５３３ａと係合する第２の係合部５３３ｂとを備える。また、離脱位置保持部５３３は、係合部５３３ａ，５３３ｂ同士の係合を維持すべく、第２の係合部５３３ｂを付勢する付勢体５３３ｃと、係合部５３３ａ，５３３ｂ同士の係合を解除するように操作される解除操作部５３３ｄとを備える。
【００７３】
解除操作部５３３ｄは、第２の係合部５３３ｂに固定されており、付勢体５３３ｃの付勢力に反して操作されることで、第２の係合部５３３ｂを回転させる。なお、各操作部５２は、各係止部５１１，５１２が蓋体離脱位置に位置する際に、補助具本体５５の内部に位置されており、補助具本体５５から突出していない。
【００７４】
抜出防止部５４は、各操作部５２に固定され且つ操作部５２，５２同士が対面する方向に突出する突出片５４１，５４１を備える。そして、各突出片５４１は、各係止部５１１，５１２（及び操作部５２）が本体抜差位置に位置している際に、本体収容部５１の係止部本体５１２ａの外方に位置している一方、各係止部５１１，５１２（及び操作部５２）が蓋体離脱位置に位置している際に、注射器本体９１を径方向で係止すべく、孔部５１２ｃを介して係止部本体５１２ａの内方に位置している。
【００７５】
なお、補助具本体５５は、一対のカバー体５６，５６に一部覆われている。そして、各カバー体５６は、注射器本体９１の軸線方向に沿って、蓋体係止部５１２をガイドする機能も備えている。なお、図２０は、カバー体５６を透過させた内視図である。
【００７６】
本実施形態に係る注射器補助具５の構成は以上の通りであり、次に、本実施形態に係る注射器補助具５の動作について、図２２〜図２５を参酌して説明する。
【００７７】
まず、図２２及び図２３に示すように、各操作部５２が補助具本体５５から突出しており、各係止部５１１，５１２は、本体収容部５１に注射器本体９１を抜き差しできる本体抜差位置に位置している。このとき、抜差位置保持部５３２が一対の操作部５２，５２を離反するように付勢しているため、各係止部５１１，５１２が本体抜差位置で保持されている。なお、図２２は、カバー体５６を透過させた内視図であり、また、図２３は、図２２から注射器９と蓋体係止部５１２とを省略した内視図である。
【００７８】
そこで、蓋体９２が装着されている注射器本体９１を本体収容部５１に差して収容すると、注射器本体９１及び蓋体９２間の隙間に、蓋体係止部５１２の係止片５１２ｂが挿入される。その後、各操作部５２が注射器本体９１の軸線方向と直交する方向に沿って移動するように、各操作部５２を操作すると、接続機構５３のガイド部５３１が蓋体係止部５１２の被ガイド部５１２ｄをガイドする。
【００７９】
そして、操作部５２，５２同士が互いに接近するように移動することに伴って、蓋体係止部５１２は、注射器本体９１の軸線方向に移動し、本体係止部５１１から離反する。これにより、図２４及び図２５に示すように、蓋体９２が注射器本体９１から離脱される。そして、各操作部５２が補助具本体５５の内部に位置し、各係止部５１１，５１２は、注射器本体９１から蓋体９２を離脱することができる蓋体離脱位置に位置している。
【００８０】
このとき、離脱位置保持部５３３の第１及び第２係合部５３３ａ，５３３ｂ同士が係合しているため、各係止部５１１，５１２が蓋体離脱位置で保持されていると共に、抜出防止部５４の各突出片５４１が注射器本体９１を径方向で係止しているため、注射器本体９１が本体収容部５１から抜き出されることを防止している。
【００８１】
そして、注射器補助具５が注射器９に取り付けられた状態で、そのまま注射を行うことができる。なお、図２４は、カバー体５６を透過させた内視図であり、また、図２５は、図２３から注射器９と蓋体係止部５１２とを省略した内視図である。
【００８２】
その後、解除操作部５３３ｄを押すと、第１及び第２係合部５３３ａ，５３３ｂ同士の係合が解除されるため、抜差位置保持部５３２が一対の操作部５２，５２を離反させる。それに伴って、各係止部５１１，５１２は、本体抜差位置に位置し、抜差位置保持部５３２により、本体抜差位置で保持される。
【００８３】
以上より、本実施形態に係る注射器補助具５によれば、各係止部５１１，５１２が、本体収容部５１に注射器本体９１を抜き差しできる本体抜差位置に位置している際に、各操作部５２，５２が、各係止部５１１，５１２に対して、注射器本体９１の軸線方向と交差する方向に沿って移動するように操作される。
【００８４】
すると、各係止部５１１，５１２が、注射器本体９１の軸線方向で離反される蓋体離脱位置に位置するため、注射器本体９１から蓋体９２を容易に離脱することができる。したがって、注射器本体９１を本体収容部５１に収容した後に、各操作部５２を押し込むという一つの動作を行うことで、注射器本体９１から蓋体９２を容易に離脱させることができる。
【００８５】
また、本実施形態に係る注射器補助具５によれば、各係止部５１１，５１２が蓋体離脱位置に位置する際には、抜出防止部５４が注射器本体９１を径方向で係止しているため、注射器本体９１が本体収容部５１から抜き出されることを防止できる。これにより、各操作部５２，５２が操作されると、各係止部５１１，５１２が本体抜差位置から蓋体離脱位置に位置することにより、注射器補助具５が注射器９に取り付けられた状態となるため、そのまま注射を行うことができる。
【００８６】
また、本実施形態に係る注射器補助具５によれば、接続機構５３は、蓋体係止部５１２と各操作部５２，５２とを接続している。そして、各操作部５２，５２が移動することに伴って、接続機構５３は、蓋体係止部５１２を、注射器本体９１の軸線方向で本体係止部５１１に対して移動させる。
【００８７】
また、本実施形態に係る注射器補助具５によれば、各操作部５２，５２が本体収容部５１に接離するように操作されると共に、抜出防止部５４が各操作部５２，５２に固定されている。そして、各操作部５２，５２が移動することに伴って、各係止部５１１，５１２が本体抜差位置から蓋体離脱位置に位置されると、抜出防止部５４が本体収容部５１の外方から内方に位置する。
【００８８】
これにより、各係止部５１１，５１２が本体抜差位置に位置している際には、抜出防止部５４が本体収容部５１の外方に位置しているため、本体収容部５１に注射器本体９１を容易に抜き差しできる一方、各係止部５１１，５１２が蓋体離脱位置に位置している際には、抜出防止部５４が本体収容部５１の内方に位置しているため、本体収容部５１に収容されている注射器本体９１を径方向で確実に係止できる。
【００８９】
なお、本発明に係る注射器補助具は、上記した実施の形態に限定されるものではなく、本発明の要旨を逸脱しない範囲内において種々変更を加え得ることは勿論である。また、上記した複数の実施形態の各構成や各方法等を任意に採用して組み合わせてもよく（１つの実施形態に係る各構成や各方法等を他の実施形態に係る構成や方法等に適用してもよく）、さらに、下記する各種の変更例に係る構成や方法等を任意に選択して、上記した実施形態に係る構成や方法等に採用してもよいことは勿論である。
【００９０】
上記第１実施形態に係る注射器補助具１においては、第１操作部２４を全体的に手で把持した状態で、第２操作部３３の第２操作面３３１を掌で押す場合を説明したが、斯かる構成に限られない。例えば、第２操作部３３の突出部３３２を手で把持した状態で、第１操作部２４の第１操作面２４１を掌で押す場合でもよい。
【００９１】
また、上記第１実施形態に係る注射器補助具１においては、各係止体２，３がそれぞれ操作部２４，３３を備える構成を説明したが、斯かる構成に限られない。例えば、蓋体係止体２のみに、操作部２４が設けられる構成でもよく、また、本体係止体３のみに、操作部３３が設けられる構成でもよい。
【００９２】
また、上記第１実施形態に係る注射器補助具１においては、蓋体係止体２にガイド部２２が設けられる構成を説明したが、斯かる構成に限られない。例えば、本体係止体に、蓋体係止体をガイドするガイド部が設けられる構成でもよい。
【００９３】
また、上記第２実施形態に係る注射器補助具５においては、蓋体係止部５１２が補助具本体５５に対して移動する構成を説明したが、斯かる構成に限られない。例えば、本体係止部が補助具本体に対して移動する構成でもよく、また、本体係止部及び蓋体係止部がそれぞれ補助具本体に対して移動する構成でもよい。
【００９４】
また、上記第２実施形態に係る注射器補助具５においては、操作部５２，５２が一対設けられる構成を説明したが、斯かる構成に限られない。例えば、操作部は、一つ設けられる構成でもよい。
【００９５】
また、上記第２実施形態に係る注射器補助具５においては、接続機構５３が蓋体係止部５１２と各操作部５２とを接続する構成を説明したが、斯かる構成に限られない。例えば、接続機構は、本体係止部と操作部とを接続する構成でもよく、本体係止部及び蓋体係止部と操作部とをそれぞれ接続する構成でもよい。
【００９６】
また、上記第２実施形態に係る注射器補助具５においては、接続機構５３が蓋体係止部５１２をガイド溝５３１ａ，５３１ｂでガイドすることにより、各係止部５１１，５１２が注射器本体９１の軸線方向で接離する構成を説明したが、斯かる構成に限られない。例えば、接続機構は、カム機構、リンク機構又はギア機構により、各係止部を注射器本体９１の軸線方向で接離する構成でもよい。
【００９７】
また、上記第１実施形態に係る注射器補助具１においては、抜出防止部２３が注射針９１２を径方法で係止し、上記第２実施形態に係る注射器補助具５においては、抜出防止部５４がバレル９１１の胴部９１１ａを径方向で係止する構成を説明したが、斯かる構成に限られない。
【００９８】
例えば、抜出防止部は、バレル９１１のノズル部９１１ｂやフィンガーグリップ９１３を径方向で係止する構成でもよく、さらに、フィンガーグリップ９１３が設けられていない場合には、バレル９１１のフランジ部９１１ｃを係止する構成でもよい。要するに、抜出防止部は、注射器本体９１を径方向で係止する構成であればよい。
【００９９】
また、上記実施形態に係る注射器補助具１，５においては、本体係止部３１１，５１１がフィンガーブリップ９１３を軸線方向で係止する構成を説明したが、斯かる構成に限られない。例えば、本体係止部は、バレル９１１の胴部９１１ａを軸線方向で係止する構成でもよく、さらに、フィンガーグリップ９１３が設けられていない場合には、バレル９１１のフランジ部９１１ｃを軸線方向で係止する構成でもよい。要するに、本体係止部は、注射器本体９１を軸線方向で係止する構成であればよい。
【０１００】
また、上記実施形態に係る注射器補助具１，５において、注射器９は、患者自らが注射を行うためのプレフィルドシリンジである構成を説明したが、斯かる構成に限られない。本発明に係る注射器補助具は、蓋体が注射器本体に装着される注射器であれば全て適用できる。
【符号の説明】
【０１０１】
１，５…注射器補助具、２…蓋体係止体、３…本体係止体、９…注射器、２１，５１２…蓋体係止部、２２…ガイド部、２３，５４…抜出防止部、２４，３３，５２…操作部、３１，５１…本体収容部、５３…接続機構、９１…注射器本体、９２…蓋体、３１１，５１１…本体係止部、３３１…操作面
【図１】
2013180109.tif 000003
【図２】
2013180109.tif 000004
【図３】
2013180109.tif 000005
【図４】
2013180109.tif 000006
【図５】
2013180109.tif 000007
【図６】
2013180109.tif 000008
【図７】
2013180109.tif 000009
【図８】
2013180109.tif 000010
【図９】
2013180109.tif 000011
【図１０】
2013180109.tif 000012
【図１１】
2013180109.tif 000013
【図１２】
2013180109.tif 000014
【図１３】
2013180109.tif 000015
【図１４】
2013180109.tif 000016
【図１５】
2013180109.tif 000017
【図１６】
2013180109.tif 000018
【図１７】
2013180109.tif 000019
【図１８】
2013180109.tif 000020
【図１９】
2013180109.tif 000021
【図２０】
2013180109.tif 000022
【図２１】
2013180109.tif 000023
【図２２】
2013180109.tif 000024
【図２３】
2013180109.tif 000025
【図２４】
2013180109.tif 000026
【図２５】
2013180109.tif 000027